(57)【要約】【課題】安定して頭部を配置し易い枕を提供する。【解決手段】枕１は、頸部を支持する頸部支持部１０と、頸部支持部１０に隣接して後頭部を支持する後頭部支持部２０と、を備え、後頭部支持部２０の表面２０ａには、後頭部を入れる凹部２１が設けられている。凹部２１は、後頭部支持部２０の表面２０ａから裏面まで貫通する貫通穴であるのが好ましい。【選択図】図５
2016154573.tif 000002
【特許請求の範囲】
【請求項１】
頸部を支持する頸部支持部と、
前記頸部支持部に隣接して後頭部を支持する後頭部支持部と、
を備え、
前記後頭部支持部の表面には、後頭部を入れる凹部が設けられていることを特徴とする枕。
【請求項２】
前記凹部は、前記後頭部支持部の表面から裏面まで貫通する貫通穴であることを特徴とする請求項１に記載の枕。
【請求項３】
前記後部支持部は、前記頸部支持部と前記後頭部支持部の並び方向に突き出した突出部を有し、
前記突出部に前記凹部が設けられていることを特徴とする請求項１又は２に記載の枕。
【請求項４】
前記凹部が前記後頭部支持部の表面から裏面まで貫通する貫通穴であって、
前記突出部は、前記凹部によって２つの角部に分割されていることを特徴とする請求項３に記載の枕。
【請求項５】
当該枕を表面側から平面視して、前記頸部支持部と前記後頭部支持部の並び方向と垂直な方向を横幅方向とした場合に、
前記突出部は、前記横幅方向の中央寄りに設けられていることを特徴とする請求項３又は４に記載の枕。
【請求項６】
当該枕を表面側から平面視して、前記頸部支持部と前記後頭部支持部の並び方向と垂直な方向を横幅方向とした場合に、
前記凹部は、前記横幅方向の略中央部に設けられていることを特徴とする請求項１から５のいずれか１項に記載の枕。
【請求項７】
前記頸部支持部の表面は、当該頸部支持部と前記後頭部支持部の並び方向と平行な方向が凸面であることを特徴とする請求項１から６のいずれか１項に記載の枕。
【請求項８】
前記頸部支持部の表面は、当該頸部支持部と前記後頭部支持部の並び方向と垂直な方向が凹面であることを特徴とする請求項１から７のいずれか１項に記載の枕。
【請求項９】
当該枕を表面側から平面視して、前記頸部支持部と前記後頭部支持部の並び方向と平行な方向を縦幅方向、前記並び方向と垂直な方向を横幅方向とした場合に、
前記横幅方向の長さが前記縦幅方向に比べて長いことを特徴とする請求項１から８のいずれか１項に記載の枕。
【請求項１０】
当該枕を表面側から平面視して、前記頸部支持部と前記後頭部支持部の並び方向と垂直な方向を横幅方向とした場合に、
当該枕の前記横幅方向の長さが、前記凹部の前記横幅方向の長さの２倍以上であることを特徴とする請求項１から９のいずれか１項に記載の枕。
【請求項１１】
当該枕を枕取り付け部に取り付けるための取付け凹部が裏側部に形成されていることを特徴とする請求項１から１０のいずれか１項に記載の枕。
【請求項１２】
前記取付け凹部は、逆テーパー構造を備えることを特徴とする請求項１０に記載の枕。
【発明の詳細な説明】
【技術分野】
【０００１】
本発明は、枕に関する。
【背景技術】
【０００２】
従来、病人、老人、身体障害者等の介助が必要な者（被介護者）を入浴させる際に、入浴用の担架や搬送車が使用される。入浴用の担架等には、被介護者の頭部を載せる枕が備えられるのが一般的である（例えば特許文献１参照）。
【先行技術文献】
【特許文献】
【０００３】
【特許文献１】特開平１１−５６９０５号公報
【発明の概要】
【発明が解決しようとする課題】
【０００４】
特許文献１のように、担架に設けられる枕の一部が回動すると、洗髪を行い易く便利である。しかしながら、枕の一部が回動する構成を採用すると、枕部の構造が複雑となり、コスト面や清掃性の面等で好ましくない。
【０００５】
また、特許文献１の構成も含めて、従来の枕は、頭を載せる面が平らであることが多く、頭の位置や向きが安定し難いといった問題がある。被介護者の中には、例えば首を真っ直ぐにし難い者等がおり、介護の現場等では、安定して頭を配置し易い枕が望まれている。
【０００６】
以上の点に鑑みて、本発明の目的は、安定して頭部を配置し易い枕を提供することである。また、本発明の他の目的は、被介護者に好適な枕を提供することである。更に、本発明の他の目的は、被介護者の入浴用途として好適な枕を提供することである。
【課題を解決するための手段】
【０００７】
上記目的を達成するために本発明の枕は、頸部を支持する頸部支持部と、前記頸部支持部に隣接して後頭部を支持する後頭部支持部と、を備え、前記後頭部支持部の表面には、後頭部を入れる凹部が設けられている構成（第１の構成）になっている。なお、頭を載せる側を枕の表面としている。
【０００８】
本構成によれば、後頭部支持部に後頭部を入れる凹部が設けられているために、後頭部を安定して支持し易い。なお、凹部は後頭部の一部を入れるものであるのが好ましい。本構成によれば、例えば頸部を真っ直ぐにできない者等の頭部も保持し易く、このような者（例えば被介護者）の頭部も所定の位置に安定して置くことが可能である。
【０００９】
上記第１の構成の枕において、前記凹部は、前記後頭部支持部の表面から裏面まで貫通する貫通穴である構成（第２の構成）が好ましい。本構成によれば、貫通穴を介して後頭部に洗髪用の湯水をかけたり、貫通穴を介して介助者の手を入れて頭部を洗ったりすることが可能である。
【００１０】
上記第１又は第２の構成の枕において、前記後部支持部は、前記頸部支持部と前記後頭部支持部の並び方向に突き出した突出部を有し、前記突出部に前記凹部が設けられている構成（第３の構成）が好ましい。本構成によれば、凹部に保持された頭部の斜め下方から湯水をかけたり、凹部に保持された頭部に手（例えば介助者の手）を近づけたりし易い。
【００１１】
上記第３の構成の枕において、前記凹部が前記後頭部支持部の表面から裏面まで貫通する貫通穴であって、前記突出部は、前記凹部によって２つの角部に分割されている構成（第４の構成）が好ましい。本構成によれば、後頭部に湯水をかけたり、後頭部に手（例えば介助者の手）を近づけたりし易い。
【００１２】
上記第３又は第４の構成の枕において、当該枕を表面側から平面視して、前記頸部支持部と前記後頭部支持部の並び方向と垂直な方向を横幅方向とした場合に、前記突出部は、前記横幅方向の中央寄りに設けられている構成（第５の構成）であるのが好ましい。本構成によれば、枕の横幅方向の中央寄りに凹部が設けられることになるために、枕の偏った位置に頭を載置せずに済む。
【００１３】
上記第１から第５のいずれかの構成の枕において、当該枕を表面側から平面視して、前記頸部支持部と前記後頭部支持部の並び方向と垂直な方向を横幅方向とした場合に、前記凹部は、前記横幅方向の略中央部に設けられている構成（第６の構成）であるのが好ましい。本構成によれば、枕の中央部に頭を配置し易い。
【００１４】
上記第１から第６のいずれかの構成の枕において、前記頸部支持部の表面は、当該頸部支持部と前記後頭部支持部の並び方向と平行な方向が凸面である構成（第７の構成）が好ましい。本構成によれば、頸部支持部と後頭部支持部の並び方向に、使用者の頸部や頭部の形状に合わせた凹凸が設けられる構成となる。このために、使用者は、枕に対して頭を置く位置がわかり易く、所定の位置に安定して頭部を置くことができる。
【００１５】
上記第１から第７のいずれかの構成の枕において、前記頸部支持部の表面は、当該頸部支持部と前記後頭部支持部の並び方向と垂直な方向が凹面である構成（第８の構成）が好ましい。本構成によれば、枕と、頸部との接触面積を増やし易い。なお、前記後頭部支持部も、前記頸部支持部と前記後頭部支持部の並び方向と垂直な方向が凹面であるのが好ましく、当該凹面に前記凹部が形成されているのが好ましい。
【００１６】
上記第１から第８のいずれかの構成の枕において、当該枕を表面側から平面視して、前記頸部支持部と前記後頭部支持部の並び方向と平行な方向を縦幅方向、前記並び方向と垂直な方向を横幅方向とした場合に、前記横幅方向の長さが前記縦幅方向に比べて長い構成（第９の構成）を採用してもよい。被介護者の枕として利用する場合、本構成のように、横幅方向が長いと、例えば仰臥位から側臥位に被介護者の姿勢を変更しても、被介護者の頭部が枕から落ちにくい。又は、被介護者の姿勢を仰臥位から側臥位にする場合に、被介護者の身体の位置をずらす必要をなくせる。
【００１７】
上記第１から第９のいずれかの構成の枕において、当該枕を表面側から平面視して、前記頸部支持部と前記後頭部支持部の並び方向と垂直な方向を横幅方向とした場合に、当該枕の前記横幅方向の長さが、前記凹部の前記横幅方向の長さの２倍以上である構成（第１０の構成）を採用してもよい。本構成によれば、例えば仰臥位から側臥位に被介護者の姿勢を変更しても、被介護者の頭部が枕から落ちにくい。
【００１８】
上記第１から第１０のいずれかの構成の枕において、当該枕を枕取り付け部に取り付けるための取付け凹部が裏側部に形成されている構成（第１１の構成）が採用されてよい。本構成によれば、枕取付け部への枕の着脱が行い易く、枕を清潔に保ちやすい。なお、枕取付け部は、例えば、担架や、ストレッチャー、車椅子等の搬送車に設けられてよい。
【００１９】
上記第１１の構成の枕において、前記取付け凹部は、逆テーパー構造を備える構成（第１２の構成）であるのが好ましい。本構成によれば、枕取付け部に対して枕をしっかりと取り付けつつ、取り外しが容易とし易い。
【発明の効果】
【００２０】
本発明によれば、安定して頭部を配置し易い枕を提供することができる。また、本発明によれば、被介護者に好適な枕を提供することができる。更に、本発明によれば、被介護者の入浴用途として好適な枕を提供することができる。
【図面の簡単な説明】
【００２１】
【図１】本発明の実施形態に係る枕が適用されるシャワー浴装置の構成を示す概略斜視図
【図２】本発明の実施形態に係る枕が適用されるシャワー浴装置が備える扉部の構成を示す概略斜視図
【図３】本発明の実施形態に係る枕が適用される入浴装置が備えるストレッチャーの構成を示す概略斜視図
【図４】図３に示すストレッチャーから枕が取り外された状態を示す概略図
【図５】本発明の実施形態に係る枕の構成を示す概略斜視図
【図６】本発明の実施形態に係る枕の構成を示す概略上面（表面）図
【図７】本発明の実施形態に係る枕の構成を示す概略下面（裏面）図
【図８】図６のＡ方向の側面図
【図９】図６のＢ方向の側面図
【図１０】図６のＣ方向の側面図
【図１１】図６のＤ−Ｄ矢視図
【図１２】図６のＥ−Ｅ矢視図
【図１３】本発明の実施形態に係る枕の使用例を示す概略平面図
【図１４】図１３のＦ−Ｆ矢視図
【図１５】本発明の実施形態に係る枕の第１変形例を示す概略斜視図
【図１６】本発明の実施形態に係る枕の第２変形例を示す概略斜視図
【図１７】本発明の実施形態に係る枕の第３変形例を示す概略斜視図
【図１８】本発明の実施形態に係る枕の第４変形例を示す概略斜視図
【発明を実施するための形態】
【００２２】
以下、本発明の実施形態に係る枕について、図面を参照しながら詳細に説明する。なお、以下では、本発明の実施形態に係る枕がシャワー浴装置のストレッチャーに適用される場合を例に説明する。
＜シャワー浴装置の概略構成＞
【００２３】
まず、本発明の実施形態に係る枕が適用されるシャワー浴装置について、簡単に説明しておく。図１は、本発明の実施形態に係る枕が適用されるシャワー浴装置１００の構成を示す概略斜視図である。図１に示すように、シャワー浴装置１００は、大きくは、シャワー浴槽部１１０とストレッチャー１２０とを備えている。なお、図１においては、ストレッチャー１２０上に、入浴者Ｍ（本発明の実施形態に係る枕の使用者）が載った状態が示されている。
【００２４】
シャワー浴槽部１１０の長手方向の一端部側には、扉部１１１が設けられている。扉部１１１を開くことによって、ストレッチャー１２０をシャワー浴槽部１１０内に入れたり、シャワー浴槽部１１０外へ出したりすることができる。なお、図１は、扉部１１１が、シャワー浴槽部１１０の開口１１０ａを閉じた状態を示している。また、本発明の枕は、扉部１１１が設けられないシャワー浴槽部に適用されても構わない。
【００２５】
シャワー浴槽部１１０の内部には、上面及び側面に複数のシャワーノズル（不図示）が設けられている。シャワーノズルから吐出されるシャワー液（湯水やシャンプー液等）によって、ストレッチャー１２０と共にシャワー浴槽部１１０内に入れられた入浴者Ｍの身体の洗浄を行なったり、体を温めたりすることができる。なお、シャワー浴槽部１１０の左右の側面には、窓１１２が形成されている。介助者は、窓１１２を通じてシャワー浴槽部１１０内に手を入れて、入浴者Ｍの洗浄介助を行うことができる。窓１１２は、不図示の開閉手段（例えばカーテン等）によって閉じることができる。
【００２６】
図２は、本発明の実施形態に係る枕が適用されるシャワー浴装置１００が備える扉部１１１の構成を示す概略斜視図である。なお、図２は、扉部１１１に取り付けられるカバー類が外された状態を示している。図２に示されるように、扉部１１１は、扉フレーム１１３に取り付けられた自動洗髪装置１１４を有する。
【００２７】
自動洗髪装置１１４は、複数（一例として３つ）の洗髪ノズル１１５が設けられた複数（一例として３つ）のアーム１１６を備えている。複数のアーム１１６は、支軸１１７を中心として回動可能に設けられている。入浴者Ｍが仰臥位で載るストレッチャー１２０がシャワー浴槽部１１０内に入れられ、扉部１１１が閉じられた状態（図１に示す状態）において、支軸１１７は、入浴者Ｍの頭頂部と対向するように設けられている。このため、支軸１１７を中心としてアーム１１６を回転させつつ、洗髪ノズル１１５から洗髪液（湯水やシャンプー液等）を吐出することによって、入浴者Ｍの頭部の広い範囲に洗髪液をかけながら洗髪を行うことができる。
【００２８】
図３は、本発明の実施形態に係る枕が適用される入浴装置１が備えるストレッチャー１２０の構成を示す概略斜視図である。入浴者Ｍは、通常、ストレッチャー１２０に臥位（仰臥位や側臥位等）で載る。図３に示すように、ストレッチャー１２０は、台車部１２１と、台車部１２１に立設される支柱（不図示）によって支持される寝台部（担架部）１２２と、を備えている。
【００２９】
台車部１２１は、四隅に車輪１２３を備え、走行可能になっている。また、台車部１２１には、水受盤１２４が設けられている。寝台部１２２は、その上に着脱可能に載置されるマット１２５を備えている。また、寝台部１２２の両側面（左右の側面）には、寝台部１２２の長手方向に沿って長く延びるサイドフェンス１２６が設けられている。サイドフェンス１２６は、図３に示す状態から倒すことができる。
【００３０】
更に、寝台部１２２には、入浴者Ｍの頭部を載せる枕１が着脱可能に取り付けられている。図４は、図３に示すストレッチャー１２０から枕１が取り外された状態を示す概略図である。図４に示すように、ストレッチャー１２０には、枕１を取り付けるための枕取付け部１２７を備える。枕１は、枕取付け部１２７に対して嵌め込み方式で取り付け可能になっている。枕１の詳細については後述する。
＜枕の詳細構成＞
【００３１】
以下、主に図５〜図１１を参照しながら本発明の実施形態に係る枕１の詳細構成について説明する。なお、図５は、本発明の実施形態に係る枕１の構成を示す概略斜視図である。図６は、本発明の実施形態に係る枕１の構成を示す概略上面（表面）図である。図７は、本発明の実施形態に係る枕１の構成を示す概略下面（裏面）図である。図８は、図６のＡ方向の側面図である。図９は、図６のＢ方向の側面図である。図１０は、図６のＣ方向の側面図である。図１１は、図６のＤ−Ｄ矢視図である。図１２は、図６のＥ−Ｅ矢視図である。
【００３２】
枕１は、平面視した場合に、動物の角、或いは、フタコブラクダの背のような形状を有している（図６等参照）。枕１は、長手方向（図６の左右方向）を２等分する二等分線Ｌを基準として略線対称な構造を有している。このような枕１は、クッション性を有する素材を用いて、例えば一体成型によって得ることができる。クッション性を有する素材としては、特に限定する趣旨ではないが、例えばポリエチレンやポリウレタン等が利用できる。本実施形態のように入浴用途を想定すると、耐水性を有するポリエチレン等が好ましい。
【００３３】
枕１は、使用者（本例では入浴者Ｍ）の頸部を支持する頸部支持部１０と、使用者の後頭部を支持する後頭部支持部２０と、を備えている。頸部支持部１０と後頭部支持部２０とは繋がっており、両者は隣接している。以下、枕１を表面側から平面視した場合における、頸部支持部１０と後頭部支持部２０の並び方向と平行な方向（図６の上下方向）を縦幅方向とする。また、同様に平面視した場合における、頸部支持部１０と後頭部支持部２０の並び方向と垂直な方向（図６の左右方向）を横幅方向とする。更に、枕１の表面から裏面に向かう方向と平行な方向（図６の紙面と垂直な方向）を厚み方向とする。
【００３４】
頸部支持部１０の表面１０ａ（頭部を載せる側の面）は、縦幅方向が凸状（凸面）になっている（図８や図１１参照）。これにより、頸部支持部１０の表面１０ａは、下方に傾斜しながら、後頭部支持部２０の表面２０ａ（頭部を載せる側の面）と滑らかに連続して繋がっている。
【００３５】
後頭部支持部２０の表面２０ａは、縦幅方向の端部（図８の右側端部）に向けて緩やかに下がる傾斜面になっている。後頭部支持部２０の表面２０ａには、使用者の後頭部の一部を入れる凹部２１が設けられている。凹部２１の、後頭部支持部２０の表面２０ａ寄りの部分は、Ｒ形状を有している。凹部２１は、枕１の横幅方向の中央部に設けられている。また、凹部２１は、後頭部支持部２０の縦幅方向の端部（図８の右側端部）位置まで延在している。
【００３６】
後頭部支持部２１は、縦幅方向に突き出した突出部２２を有する形状になっている。そして、凹部２１の少なくとも一部は、突出部２１に設けられている。本実施形態においては、凹部２１は厚み方向に貫通した貫通穴となっている。このために、突出部２２は、凹部２１によって２つの角（つの）部２２ａ、２２ｂに分割されている。
【００３７】
頸部支持部１０の表面１０ａ及び後頭部支持部２０の表面２０ａは、横幅方向が凹状（凹面）になっている（図９、図１０、及び図１２参照）。これにより、枕１の表面は、横幅方向の両端部（左右方向の両端部）に比べて、横幅方向の中央部側が低くなっている。なお、本実施形態では、凹部２１は凹面に形成されている。
【００３８】
枕１は、縦幅方向の長さに比べて、横幅方向の長さが長く設けられている。また、枕１は、好ましい形態として、その横幅方向の長さが、凹部２１の横幅方向の長さの２倍以上であるのが好ましい。すなわち、枕１は、横幅方向の長さが大きく設けられるのが好ましい。
【００３９】
なお、本実施形態では、凹部２１の横幅方向の長さは、後頭部支持部２０の縦幅方向の端部（図６の上端部）に向けて徐々に広がっている。本実施形態では、枕１の横幅方向の最大長さが、凹部２１の横幅方向の最大長さの２倍以上（３倍程度）となっている。枕１の横幅方向の長さ（最大長さ）は、枕１の持ち運び安さや、取り付ける場所のサイズ等によって適宜決められればよい。
【００４０】
枕１の裏側部３０には、ストレッチャー１２０の枕取付け部１２７（図４参照）に取り付けるための取付け凹部３１が設けられている。図４に示すように、枕取付け部１２７は、四角柱部１２７ａと、四角柱部１２７ａから突出する２本の丸棒部１２７ｂとを備える。当該枕取付け部１２７の構造と対応して、取付け凹部３１は、その形状及びサイズが決められている。
【００４１】
詳細には、取付け凹部３１は、主に頸部支持部１０の裏側部分に設けられ、横幅方向に延在する平面視略矩形状の第１凹部３２を含む。第１凹部３２の開口面のサイズは、四角柱部１２７ａの縦横幅とほぼ同じである。第１凹部３２の深さは、四角柱部１２７ａの厚みと同程度である。また、取付け凹部３１は、第１凹部３２に空間的に繋がると共に、縦幅方向に延在する平面視略矩形状の２つの第２凹部３３を含む。２つの第２凹部３３は、主に角部２２ａ、２２ｂに設けられている。第２凹部３３の開口面のサイズは、丸棒部１２７ｂの長さ及び幅とほぼ同じである。第２凹部３３の深さは、丸棒部１２７ｂの直径と同程度である。
【００４２】
第１凹部３２を形成する壁面のうち、縦幅方向に平行な２つの壁面３２ａ、３２ｂは、図１２に示すように、厚み方向が傾斜した構造になっている。詳細には、２つの壁面３２ａ、３２ｂは、内側から外側に向けて（図１２の下方向）、２つの壁面３２ａ、３２ｂ間の距離が徐々に狭くなるように設けられている。そして、正確には、第１凹部３２の横幅方向の長さは、四角柱部１２７ａの横幅より若干小さくなっている。取付け凹部３１が、このような逆テーパー構造を備えるために、着脱可能な枕１は、固定が確実であると共に、着脱も容易になっている。
【００４３】
次に、以上のように構成される枕１の作用効果を、図１３及び図１４も参照しながら説明する。なお、図１３は、本発明の実施形態に係る枕１の使用例を示す概略平面図である。図１３では、ストレッチャー１２０に載る入浴者（使用者）Ｍは、仰臥位になって頭部を枕１に載せている。また、図１４は、図１３のＦ−Ｆ矢視図である。ただし、図１４ではストレッチャー１については寝台部１２２のみを示し、台車部１２１は省略している。
【００４４】
図１３及び図１４に示すように、使用者Ｍは、頸部を縦幅方向が凸状である頸部支持部１０に支持され、後頭部をその一部が凹部２１に入れられた状態で後頭部支持部２０に支持される。このように、枕１には、縦幅方向において使用者Ｍの頸部や頭部の形状に合わせた凹凸が設けられている。このために、使用者Ｍは、枕１に対して頭を置く位置がわかり易く、所定の位置に安定して頭部を置くことができる。凹部２１の存在により、頸部を真っ直ぐにできない者等の頭部も保持し易く、このような者（例えば被介護者）の頭部も所定の位置に安定して置くことが可能である。
【００４５】
本実施形態では、凹部２１を横幅方向の中央部に設けているために、枕１の横幅方向の中央部に、使用者Ｍの頭を安定して置くことができる。本実施形態のように自動洗髪装置１１４（図２参照）に対して適所に頭部を置く必要がある場合、本実施形態の枕１は非常に有効である。
【００４６】
また、本実施形態の枕１は、凹部２１が貫通穴になっている。このために、自動洗髪装置１１４から洗髪液を後頭部にかけやすい。また、介助者が、貫通穴に手を入れて後頭部に触れることができる。このために、本実施形態の枕１は、洗髪用途に適している。また、枕１は、縦幅方向の後頭部支持部２０側の端部において、中央部（凹部２１が設けられる部分は除く）が両サイドに比べて突き出た構造になっている。このような構造を有するために、自動洗髪装置１１４の洗髪ノズル１１５（図２参照）から吐出する洗髪液が枕１によって遮られ難い。また、介助者が後頭部に手を近づけ易い。この点からも、本実施形態の枕１は、洗髪用途に適している。
【００４７】
また、図１３からもわかるように、枕１は、横幅方向が使用者Ｍの頭部に対して十分大きく設けられている。このために、仰臥位の使用者Ｍを側臥位にする際にも、枕１でしっかり支持することが可能である。また、枕１の表面は、横幅方向に凹状になっているために、仰臥位の場合も側臥位の場合も、使用者Ｍの頸部等が枕１に接触する面積を十分に稼いで支持することができる。
【００４８】
また、枕１は、上に向けて引っ張るだけで、ストレッチャー１２０の枕取付け部１２７に対して容易に取り外すことができる。このために、枕１は、裏側部３０も含めて洗浄し易く、清潔さを保つことができる。
＜その他＞
【００４９】
以上に示した実施形態は、本発明の例示にすぎない。以上に示した実施形態の構成は、本発明の技術的思想を超えない範囲で適宜変更されて構わない。
【００５０】
例えば、以上に示した実施形態における枕１の表面に、図１５に示すように、模様を与えることを目的で、及び／又は、水を排水する機能等を発揮させる目的で、細長い溝２３を設けても構わない。図１５においては、溝２３は、略Ｕ字状とされているが、当該形状は適宜変更されて構わない。
【００５１】
また、例えば図１６に示すように、一対の角部２２ａ、２２ｂの外側の裾部分の湾曲を以上に示した実施形態の場合（例えば図５や図６参照）に比べて鋭くしてもよい。本構成によれば、以上に示した場合に比べて、自動洗髪装置１１４の洗髪ノズル１１５から吐出される洗髪液を、枕１によってより遮られ難くできる。また、介助者が後頭部により手を近づけ易くできる。なお、以上に示した実施形態の構成の方が、図１６に示す構成に比べて、後頭部を支持可能な面積が大きい。
【００５２】
また、例えば図１７に示すように、角（つの）部を無くして、後頭部を支持する後頭部支持部２０の表面２０ａの面積をより大きくしても構わない。自動洗髪装置とセットで使用されない場合等には、当該構成も有効である。また、場合によっては、後頭部支持部２０の表面２０ａは、例えば図１７に示す場合のように、殆ど傾斜していない構成としても構わない。
【００５３】
また、例えば図１８に示すように、後頭部を入れる凹部２１は貫通穴でない構成にしてもよい。また、場合によっては、図１８に示すように、頸部支持部１０や後頭部支持部２０の表面１０ａ、２０ａは、略平面状としても構わない。このような構成でも、凹部２１によって後頭部の保持を行え、頭部を所定の位置に配置し易くできる。
【００５４】
また、以上では、凹部２１が、枕１の縦幅方向の端部位置（後頭部支持部２０側の端部位置）まで延在する構成としたが、これも一例にすぎない。後頭部のサポートが十分できれば、凹部２１は、前述の端部位置まで延在しなくてもよい。
【００５５】
また、以上においては、本発明の枕が、シャワー浴装置用のストレッチャーに適用される例を示したが、これは一例にすぎない。本発明の枕は、様々な用途のストレッチャーに取り付けることができる。また、本発明の枕は、例えば担架、車椅子、ベッド等、ストレッチャー以外の物に取り付けられて構わない。また、本発明の枕は、介護用又は入浴用或いは洗髪用に限らず、様々な用途の枕として利用できる。本発明の枕は、何かに取り付けられず、単に、就寝用の枕等として単独で利用されても構わない。何かに取り付ける必要がない場合には、当然ながら、裏側部分の取付け凹部は不要である。
【符号の説明】
【００５６】
１      枕
１０    頸部支持部
１０ａ  頸部支持部の表面
２０    後頭部支持部
２０ａ  後頭部支持部の表面
２１    凹部（貫通穴）
２２    突出部
２２ａ、２２ｂ  角部
３０    裏側部
３１    取付け凹部
１２７  枕取付け部
【図１】
2016154573.tif 000003
【図２】
2016154573.tif 000004
【図３】
2016154573.tif 000005
【図４】
2016154573.tif 000006
【図５】
2016154573.tif 000007
【図６】
2016154573.tif 000008
【図７】
2016154573.tif 000009
【図８】
2016154573.tif 000010
【図９】
2016154573.tif 000011
【図１０】
2016154573.tif 000012
【図１１】
2016154573.tif 000013
【図１２】
2016154573.tif 000014
【図１３】
2016154573.tif 000015
【図１４】
2016154573.tif 000016
【図１５】
2016154573.tif 000017
【図１６】
2016154573.tif 000018
【図１７】
2016154573.tif 000019
【図１８】
2016154573.tif 000020